(57)【要約】【課題】コスト負担の無い有利性を活用して普遍的広範囲にネット端末機能を持つ充電器を設置する事で充電器としての価値と合わせメディアとして、又アンケートデータの回収装置として活用する。【解決手段】充電器に組み込んだＣＰＵ、モニター、ＯＳ、本開発アプリケーションソフト、高速通信回線を利用してレストラン、喫茶店、居酒屋等に同モニター端末機能付充電器を設置し、広範囲に広告を配信し偏りの無いアンケートのサンプルを回収する。また非接触ＩＣカードに依る個人特定機能に依り、非常に広告価値の高いネット端末機能を同時に提供を行う事を可能とする。【選択図】  図２
2007025612.tif 000002
【特許請求の範囲】
【請求項１】
充電器にＣＰＵ、ＯＳ、本開発アプリケーションを組みこんだ高速通信回線接続利用可能な充電装置
【請求項２】
充電器にＣＰＵ、ＯＳ、本開発アプリケーションを組み込んだ高速通信回線接続利用可能な充電装置を活用した付加価値サービス
【請求項３】
ＣＰＵ、ＯＳ、本開発アプリケーション組込み充電器システムと高速通信、インターネット接続に依るサーバー装置を利用して客席単位で配信する広告配信
【請求項４】
ＣＰＵ、ＯＳ、本開発アプリケーション組込み充電器システムと高速通信、インターネット接続に依るサーバー装置を利用して客席単位で参加集計するアンケート回収サービス
【請求項５】
充電器にＣＰＵ、ＯＳ，本開発アプリケーション、モニター端末及び非接触ＩＣカード読取装置を組み込んだじＩＣカード課金サービス可能な充電装置
【請求項６】
充電器より発生する継続的な充電収益を活用した、充電器設置先店舗の充電器及び高速通信回線利用費用負担を無料化したビジネスモデル
【請求項７】
ＣＰＵ、ＯＳ，本開発アプリケーション、モニター端末、非接触ＩＣカード利用課金決済システム、組込み型充電器を活用し、非接触ＩＣカード課金サービス、他のネット決済サービス、現金等決済を活用した充電器一体型ネット端末提供情報サービスからの各種製品やサービスのネット販売サービス
【請求項８】
非接触ＩＣカード読取装置を組み込む事で利用者個人特定機能を有した充電器組込みネット端末をレストラン等の集客スポットに設置を行う事に依る広告価値の高い新規広告＆モニター募集媒体の提供。
【発明の詳細な説明】
【技術分野】
【０００１】本発明は、充電器に組み込んだＣＰＵとＯＳと本開発アプリケーションがセットされた端末をレストラン等の座席に設置し高速通信回線を接続利用し広告配信及びアンケート集計サービスを始めとした複数の双方向サービスを快適な環境で提供する物である。
【背景技術】
【０００２】インターネット広告は新たな広告媒体として世界的にも認知されている、双方向性は広告のみならず市場調査に於ける役割はその即時性と主計に掛かる処理時間の高速性に関して他の追従を許さない事は明白である。
【発明の開示】
【発明が解決しようとする課題】
【０００３】しかし、インターネットが普及したと言っても普及に関しては偏りがあり、インターネットに常時アクセスしている人数と全くアクセスをしない人数に分かれている為にそのアンケートデータは一定の方向性を持ったデータに偏った形になりがちであった。
インターネットに関心の無い、或いは関心が有ってもアクセスが苦手なサンプルに関しては無作為郵送や電話、雑誌と言う物が使用されているがサンプル数は少なく、その精度に関しては不満があった。
【課題を解決するための手段】
【０００４】レストラン、喫茶店、居酒屋等に高速通信端末を設置し、簡単な操作でアンケートに答える事の出来るモニター装置機能付き充電器を設置する、
又、アンケートの無い時間帯には広告を流して置く事で新たに広告媒体としての役割も持たせられる、本広告からアンケートへの誘導も広告効果を即時に分析する手段として非常に有望である。
【発明の効果】
【０００５】現在充電式の携帯装置は代表的な携帯電話をはじめとして携帯音楽端末からデジタルカメラまで多くの製品が出回っている。その為充電に関する潜在的ニーズは非常に多く、飲食に供する時間で充電を行う要望は充分に存在する、このマーケットユーザーが店舗設置の充電器システムを利用する充電収益から得られる利益を利用してＣＰＵ組込型モニター端末装置機能付き充電器及び高速通信回線を無料化し、広範囲で普遍的に端末を配置する事により広告のメディア価値として有用とする。またアンケートサンプル募集サービスシステムを同設置場所で提供を行う事に依り、設置場所住所や店舗に寄るサンプルの特定が可能で有る、精度の高いサンプルデータを得られるサービスシステムである。
【発明を実施するための最良の形態】
【０００６】以下、本発明実施の形態を説明する。
（イ）  ＣＰＵ組込型モニター端末装置機能付き充電器をレストラン等の店舗の客席に設置を行う。
（ロ）  設置店舗には、同時に高速通信回線の引き込み設置を行う。
（ハ）  ＣＰＵ内蔵型充電器には、モニター端末が同時に組み込まれており、ＯＳと本開発アプリケーションに依り、高速通信回線に依り接続されたサーバーシステムとの通信や充電器搭載ＣＰＵに接続されたＨＤＤ等の補助記憶装置内アプリケーションに依り、動画や静止画による各種情報提供や広告のモニターへの掲載を行う。
（二）  また充電器搭載のＣＰＵ、本アプリケーション及び高速通信により接続されたサーバーソフト間の連動機能に依り、レストラン等の座席で休憩中の顧客を対象としたアンケート調査サービスをアプリケーションサービスとして提供を行う事ができる。
（ホ）  同充電器端末には、携帯電話やパソコン、携帯音楽端末などを充電できる充電機能が設置されている。  携帯電話・ＰＨＳ用には、通信大手キャリア各社の携帯電話用充電用ジャックが設置される。パソコンやその他１００Ｖ用電源機器用には、１００Ｖ用のコンセントジャックが設けられ、同コンセントを用いて、様々な機器の充電や利用が行える。
（ヘ）  充電を行う為には、顧客は、１００円硬貨の投入か機器によって搭載される非接触ＩＣカード利用の課金装置を用いて充電サービス利用料を支払う。  顧客は、課金した金額に応じて規定された時間内で充電サービスを受ける事が出来る。
（ト）  充電を行いながら、情報提供サービスやアンケートを利用する事が可能であり、顧客は、レストラン等での休憩時間を有意義に過ごす事が可能になる。
（チ）  同モニター機能付充電器での情報提供サービスと連動して様々な商品やサービスををレストラン利用ユーザーが、非接触ＩＣカード他を利用した課金サービスにより同端末より購入する事が出来る。
（リ）  開発機器の種類によってはＣＰＵにセンサーを接続し、座席への顧客着席に合わせ、アンケート回答依頼プログラムが作動するサービスの提供も可能である。
（ヌ）  非接触ＩＣカードの個人特定機能を活用し、充電利用者やアンケート回答者、ネット販売利用者の特定も可能であり、同特定を活用し、利用者が望むオリジナルサービスの提供も可能な機能を提供する。
（ル）  同端末に依るサービスとして、企業からのモニターユーザー募集サービス及びアンケートサービスなど、レストラン等の集客スポットと非接触ＩＣカードに依る個人特定を生かした企業としてのサービス価値の高いサービスを複数提供が可能である。
本発明は以上の構成よりなる。
本発明を使用する場合は、
（イ）顧客は、当システム機器が設置されているレストランの機器設置シートに着席をする。
（ロ）シートに座った顧客は、携帯電話やパソコンなどの充電を充電器に１００円硬貨投入や非接触ＩＣカードを活用した決済を行う事で、課金に見合った時間の充電サービスを受ける事ができる。
（ハ）充電サービスと共に  同機器に設置されたモニターを通じて、顧客は、ニュース配信他の情報提供サービスや広告閲覧を行う事ができる。  当サービスは基本的に無償サービスであり、充電サービスを利用しないユーザーも活用を行う事が出来る。
（ニ）また広告や情報提供サービスの閲覧と合わせ、顧客はタッチパネル式のモニターを活用し、同時に提供を行うアンケートサービスへの回答を行う事が出来る。回答者にはアンケート回答企業からのクーポンや割引サービスなどの特典が提供される。
【実施例イメージ】
【０００７】レストラン等の客席に設置した充電器にはタッチパネルの取り付けられたモニターが置かれてる。客が着席するとセンサーと連動し充電器のＣＰＵが感知し高速通信を利用してモニターに広告や情報を流す。
広告や情報の間に関連する簡単な質問（性別・年齢層・職業等）アンケートを流しタッチパネルで顧客に回答をしてもらう。回答をしてくれた客には割引やクーポン提供等の特典が与えられる。
客は充電や注文を待つ間に簡単な回答を行う事で、システムは広い層からサンプルを得られる効果が有る。
【図面の簡単な説明】
【０００８】
【図１】  充電器を設置先に費用負担なく無料設置を行う際のビジネスモデル図である。
【図２】  広告配信とアンケート回収サービス提供時のイメージ図である。
【符号の説明】
【０００９】図２の符号の説明
１  レストランの客席
２  客席に配置した高速通信付き充電装置イメージ
３  充電器の入出力装置のイメージ図
４  高速通信接続  広告配信及びアンケート出題と集計
【図１】
2007025612.tif 000003
【図２】
2007025612.tif 000004